(57)【要約】【課題】用いる光記録媒体に応じて、波長の異なるレーザー光の使い分けが可能であって、装填された光記録媒体についての種々の情報を分かりやすくユーザに通知できるようにする。【解決手段】装填されたＤＶＤのリードインエリアを含み、それよりもない周側に位置する種々の情報をＤＶＤドライブ２において読み取り、それらの情報に基づいて、装填されたＤＶＤは赤色データ用のものか、青色レーザー用のものかを判別する。この判別結果、検出結果に基づいて、情報処理部１のシステム制御部１８が、ビデオ／オーディオＩ／Ｆ部１３を制御して、ＬＣＤ１２に判別結果を表示する。判別結果は、赤色レーザー用のＤＶＤであれば赤色波長域の色表示で、判別結果が青色レーザー用のＤＶＤであれば青色波長域の色表示で行う。【選択図】        図１
2004273038.tif 000002
【特許請求の範囲】
【請求項１】
光記録媒体から得られる情報に基づいて、前記光記録媒体についてのデータの書き込み／読み出しに用いるレーザー光の波長域を特定する特定手段と、
前記特定手段により特定された前記レーザー光の波長域をユーザに通知するようにする通知手段と、
前記特定手段により特定された前記波長域のレーザー光をデータの書き込み／読み出しに用いるレーザー光として選択する選択手段と
を備えることを特徴とする情報記録装置。
【請求項２】
請求項１に記載の情報記録装置であって、
前記通知手段は、前記特定手段により特定された書き込み／読み出しに用いる前記レーザー光の波長域と同一波長域内の色表示によって、書き込み／読み出しに用いる前記レーザー光の波長域を通知することを特徴とする情報記録装置。
【請求項３】
請求項１に記載の情報記録装置であって
装填された前記光記録媒体の空き容量を検出する検出手段を備え、
前記通知手段は、前記特定手段により特定された書き込み／読み出しに用いる前記レーザー光の波長域と同一波長域内の色表示で、前記検出手段により検出された前記空き容量を図形、絵、記号、文字の内の少なくとも１つを用いて表示することにより、書き込み／読み出しに用いる前記レーザー光の波長域をも通知することを特徴とする情報記録装置。
【請求項４】
請求項１に記載の情報記録装置であって、
前記特定手段は、装填された前記光記録媒体に照射したレーザー光の前記光記録媒体からの反射光に基づいて、書き込み／読み出しに用いる前記レーザー光の波長域を特定することを特徴とする情報記録装置。
【請求項５】
請求項１、請求項２、請求項３または請求項４に記載の情報記録装置であって、
装填された前記光記録媒体に記録されているデータの状態に基づいて、当該光記録媒体が読み出し専用光記録媒体とするための所定の処理が必要なフォーマットでデータが記録されており、既に当該所定の処理されているか否かを検出する状態検出手段と、
前記状態検出手段の検出結果を通知するようにする状態通知手段と
を備えることを特徴とする情報記録装置。
【請求項６】
光記録媒体から得られる情報に基づいて、前記光記録媒体についてのデータの書き込み／読み出しに用いるレーザー光の波長域を特定する特定ステップと、
前記特定ステップにおいて特定した前記波長域のレーザー光をデータの書き込み／読み出しに用いるレーザー光として選択する選択ステップと
前記特定ステップにおいて特定した前記レーザー光の波長域をユーザに通知するようにする通知ステップと、
を有することを特徴とする媒体情報通知方法。
【請求項７】
請求項６に記載の媒体情報通知方法であって、
前記通知ステップにおいては、前記特定ステップにおいて特定された書き込み／読み出しに用いる前記レーザー光の波長域と同一波長域内の色表示によって、書き込み／読み出しに用いる前記レーザー光の波長域を通知することを特徴とする媒体情報通知方法。
【請求項８】
請求項６に記載の媒体情報通知方法であって
装填された前記光記録媒体の空き容量を検出する検出ステップを有し、
前記通知ステップにおいては、前記特定ステップにおいて特定された書き込み／読み出しに用いる前記レーザー光の波長域と同一波長域内の色表示で、前記検出ステップにおいて検出した前記空き容量を図形、絵、記号、文字の内の少なくとも１つを用いて表示することにより、書き込み／読み出しに用いる前記レーザー光の波長域をも通知することを特徴とする媒体情報通知方法。
【請求項９】
請求項６に記載の媒体情報通知方法であって、
前記特定ステップにおいては、装填された前記光記録媒体に照射したレーザー光の前記光記録媒体からの反射光に基づいて、書き込み／読み出しに用いる前記レーザー光の波長域を特定することを特徴とする媒体情報通知方法。
【請求項１０】
請求項６、請求項７、請求項８または請求項９に記載の媒体情報通知方法であって、
装填された前記光記録媒体に記録されているデータの状態に基づいて、当該光記録媒体を読み取り専用光記録媒体とするための所定の処理が必要なフォーマットでデータが記録され、既に前記所定の処理されているか否かを検出する状態検出ステップと、
前記状態検出ステップにおいての検出結果を通知するようにする状態通知ステップと
を有することを特徴とする媒体情報通知方法。
【発明の詳細な説明】
【０００１】
【発明の属する技術分野】
この発明は、例えば、ＤＶＤ（Ｄｉｇｉｔａｌ  Ｖｅｒｓａｔｉｌｅ  Ｄｉｓｋ）などの光記録媒体を用いる場合に、当該光記録媒体についての情報をユーザに対して通知可能にする装置、方法に関する。
【０００２】
【従来の技術】
大容量の光記録媒体として、読み出し専用の光ディスクであるＤＶＤ−ＲＯＭが用いられている。また、ＤＶＤ−ＲＯＭドライブ（ＤＶＤ−ＲＯＭの再生機）において再生することが可能な光記録媒体として、追記型の光記録媒体であるＤＶＤ−Ｒ（ＤＶＤ−Ｒｅｃｏｒｄａｂｌｅ）や書き換え型の光記録媒体であるＤＶＤ−ＲＷ（ＤＶＤ  ＲｅＷｒｉｔａｂｌｅ）等が提供されている。
【０００３】
また、上述のＤＶＤ−Ｒ、ＤＶＤ−ＲＷに画像データ等を記録する場合に用いられる記録フォーマットには、ＤＶＤビデオフォーマット（ＤＶＤ  Ｖｉｄｅｏ  Ｆｏｒｍａｔ）があり、さらに、ＤＶＤ−ＲＷに画像データ等を記録する場合に用いることが可能な記録フォーマットとして、ＤＶＤビデオレコーディングフォーマット（ＤＶＤ  Ｖｉｄｅｏ  Ｒｅｃｏｒｄｉｎｇ  Ｆｏｒｍａｔ）が提供されている。
【０００４】
ここで、ＤＶＤビデオフォーマットは、もともとＤＶＤ−ＲＯＭ用の記録フォーマットであり、データの追記記録に適したものである。このＤＶＤビデオフォーマットを用いて例えばＤＶＤ−Ｒに画像データや音声データを記録した場合、当該ＤＶＤ−Ｒを記録機器とは異なる再生機において用いるようにするためには、当該ＤＶＤ−Ｒに記録された情報に基づいて、いわゆるＶＭＧ（Ｖｉｄｅｏ  Ｍａｎａｇｅｒ）情報と呼ばれる所定の情報を作成して当該ＤＶＤ−Ｒに記録する所定の処理であるいわゆるファイナライズ処理が必要となる。
【０００５】
すなわち、ファイナライズ処理は、ＤＶＤビデオフォーマットでＤＶＤ−Ｒにデータを追記記録していった場合に、最終的に、当該ＤＶＤ−Ｒを追記禁止の状態とし、ＤＶＤ−ＲＯＭ互換ディスクとしてＤＶＤ−ＲＯＭドライブで読み取り可能なデータディスクとしてクローズする処理である。
【０００６】
これに対して、ＤＶＤビデオレコーディングフォーマットは、編集の融通性に優れたものであり、シーンの削除や追加などといった編集を比較的に簡単に行えるように考慮したデータ構造を有し、主に、書き換え可能なディスク記録媒体であるＤＶＤ−ＲＷで用いるようにされる。また、ＤＶＤビデオレコーディングフォーマットは、上述したＤＶＤビデオフォーマットの場合のように、ファイナライズ処理を行う必要もないものである。
【０００７】
このように、ＤＶＤ−ＲＯＭの他、ＤＶＤ−ＲＯＭと互換性がある追記記録が可能なＤＶＤ−Ｒや書き換え可能なＤＶＤ−ＲＷが広く用いられるようになり、これらＤＶＤ−ＲやＤＶＤ−ＲＷに画像データ等を記録する場合に、ユーザの利便性を考慮すると、記録に用いるＤＶＤ−ＲやＤＶＤ−ＲＷの空き容量をユーザに対して正確に通知する必要が生じる。
【０００８】
ＤＶＤメディアではないが、ＤＶＤと同じ光記録媒体であるＣＤ−Ｒ（Ｃｏｍｐａｃｔ  Ｄｉｓｃ  Ｒｅｃｏｒｄａｂｌｅ）を記録媒体として用いるビデオカメラにおいて、ＣＤ−Ｒの空き領域表示を行うとともに、ＤＶＤビデオフォーマットにおけるファイナライズ処理に相当するクローズセッション処理の有無を表示するようにする技術が、特許文献１（特開２００１−３５１３６３号公報）に開示されている。
【０００９】
この特許文献１に記載された技術により、記録に用いる光ディスクの容量を把握することができるとともに、クローズセッション処理の有無をもユーザに通知することができる。これにより、ユーザは、空き容量を正確に把握し、空き容量が十分であるか否かを適性に判断することができる。また、クローズセッション処理が行われた光ディスクにさらにデータを記録しようとするときには、即座にクローズセッション処理を解除するようにする処理を行うようにすることができるなどの利点がある。
【００１０】
【特許文献１】
特開２００１−３５１３６３号公報
【００１１】
【発明が解決しようとする課題】
ところで、ＤＶＤ等の光記録媒体に画像データ等を記録する場合には、一般に、波長が６３５ｎｍ（ナノメータ）や６５０ｎｍ（ナノメータ）等の赤色レーザーが用いられている。しかし、今後は、波長が例えば４０５ｎｍと短い青色レーザーも用いられるようになることが考えられる。
【００１２】
波長が４０５ｎｍ前後の青色レーザーが用いられてデータが記録される青色レーザー用のＤＶＤの場合には、現行の赤色レーザーが用いられてデータが記録される赤色レーザー用のＤＶＤの約４倍の記録面密度、すなわち約４倍の記録容量を有することになる。
【００１３】
そして、赤色レーザー用のＤＶＤと、青色レーザー用のＤＶＤとでは、例えば、光の反射率やトラックピッチなどが異なり、それぞれを使い分ける必要が生じる。しかし、赤色レーザーが広く用いられている現状を考慮すると、赤色レーザー用のＤＶＤと青色レーザー用のＤＶＤとは並存し、これらを使用目的や好みに応じて使い分けるようにすることが考えられる。
【００１４】
このため、ユーザの利便性を考えると、用いる光ディスクの種類に応じて、赤色レーザーと青色レーザーとを適正に切り換えて用いることが可能な記録装置や再生装置の提供が望まれる。このような赤色レーザー光源と青色レーザー光源との両方が搭載され、これらを切り換えて使用可能な記録装置においては、用いるＤＶＤが赤色レーザー用のＤＶＤなのか、青色レーザー用のＤＶＤなのかに応じて、記録に用いるレーザー光を自動的に選択できるようにすることが望ましい。
【００１５】
この場合、上述もしたように、赤色レーザー用のＤＶＤと青色レーザー用のＤＶＤとでは、その記憶容量が大きく異なるので、例えば、青色レーザー用のＤＶＤを用いているつもりが、実は赤色レーザー用のＤＶＤであったなどのユーザの勘違いが生じ、空き容量が不足して、目的とする情報の全部を記録できなかったなどの不都合が生じる可能性がある。
【００１６】
このため、用いるＤＶＤが赤色レーザー用なのか、青色レーザー用なのか、さらに、その空き容量はどれ位あるのかをユーザに正確に通知し、ユーザが簡単にかつ正確にそれらの情報を把握できるようにしておくことが望まれる。
【００１７】
また、ＤＶＤ−Ｒの場合、追記記録しかできないので、多くの場合、ＤＶＤビデオフォーマットで画像データや音声データが記録されることになるが、上述したファイナライズ処理が終了しているか否かを通知することができれば、よりユーザの利便性を向上させることができる。
【００１８】
特に、ＤＶＤを記録媒体として用いる携帯型ビデオカメラにおいては、容易にディスクメディアとバッテリが抜き差しされることが多いので、メディア挿入したまま放置している際にも、電源を再投入されたら直ちに赤色レーザー用ディスクか青色レーザー用ディスクか、ということとそのディスクの残量表示を画面の視認で分かりやすく通知することが望まれている。
【００１９】
以上のことにかんがみ、この発明は、用いる光記録媒体に応じて、波長の異なるレーザー光の使い分けが可能であって、装填された光記録媒体についての種々の情報を分かりやすくユーザに通知できるようにする装置、方法を提供することを目的とする。
【００２０】
【課題を解決するための手段】
上記課題を解決するため、請求項１に記載の発明の情報記録装置は、
を光記録媒体から得られる情報に基づいて、前記光記録媒体についてのデータの書き込み／読み出しに用いるレーザー光の波長域を特定する特定手段と、
前記特定手段により特定された前記レーザー光の波長域をユーザに通知するようにする通知手段と、
前記特定手段により特定された前記波長域のレーザー光をデータの書き込み／読み出しに用いるレーザー光として選択する選択手段と
を備えることを特徴とする。
【００２１】
この請求項１に記載の発明の情報記録装置によれば、装填されて用いるようにされた光記録媒体からの情報に基づいて、当該光記録媒体についてのデータの書き込み／読み出しに用いるレーザー光の波長域が特定される。具体的には、当該光記録媒体が、例えば、波長が６５０ｎｍの赤色レーザー用のものか、波長が４０５ｎｍの青色レーザー用のものかが特定手段により特定される。そして、特定手段においての特定結果が、通知手段によりユーザに通知されるとともに、特定手段においての特定結果に基づいて、データの書き込み／読み出しに用いるレーザー光が選択手段によって選択される。
【００２２】
これにより、ユーザの手を煩わせることなく、用いる光記録媒体からの情報に基づいて、記録に用いるレーザー光を特定し、これをユーザに通知することができるとともに、特定した結果に基づいて、記録に用いるレーザー光を自動的に選択することができるようにされる。
【００２３】
【発明の実施の形態】
以下、図を参照しながら、この発明による装置、方法の一実施の形態について説明する。以下に説明する実施の形態においては、記録媒体としてＤＶＤを用いるデジタルビデオカメラ（ＤＶＤデジタルビデオカメラ）に、この発明による装置、方法を適用した場合を例にして説明する。
【００２４】
図１は、この実施の形態のＤＶＤデジタルビデオカメラを説明するためのブロック図である。図１に示すように、この実施の形態のＤＶＤデジタルビデオカメラは、情報処理部１とＤＶＤドライブ２とが同一筐体中に設けられて構成されたものである。以下においては、情報処理部１と、ＤＶＤドライブ２とに分けて、その構成と動作について説明する。
【００２５】
［情報処理部（ホスト装置部）１について］
まず、ホスト装置部としての機能を有する情報処理部１について説明する。図１に示すように、情報処理部１は、カメラ部１１、カラーＬＣＤ（Ｌｉｑｕｉｄ  Ｃｒｙｓｔａｌ  Ｄｉｓｐｌａｙ）１２、ビデオ／オーディオインターフェース部（以下、ビデオ／オーディオＩ／Ｆ部という。）１３、圧縮／伸張信号処理部１４、データ制御部１５、ドライブ制御部１６、外部機器インターフェース部（以下、外部機器Ｉ／Ｆという。）１７、システム制御部１８、プログラムメモリー１９、ユーザインターフェース部（以下、ユーザＩ／Ｆ部という。）２０を備えたものである。
【００２６】
ビデオ／オーディオＩ／Ｆ部１３、圧縮／伸張信号処理部１４、データ制御部１５のそれぞれには、図１に示すように、主に作業領域として用いられる、スクリーンメモリー１３Ｍ、圧縮／伸張メモリー１４Ｍ、データメモリー１５Ｍが設けられている。
【００２７】
そして、この実施の形態のＤＶＤデジタルビデオカメラの情報処理部１において、システム制御部１８は、この実施の形態のＤＶＤデジタルビデオカメラの各部を制御するものであり、図示しないが、ＣＰＵ（Ｃｅｎｔｒａｌ  Ｐｒｏｃｅｓｓｉｎｇ  Ｕｎｉｔ）や作業領域として用いられるＲＡＭ（Ｒａｎｄｏｍ  Ａｃｃｅｓｓ  Ｍｅｍｏｒｙ）、設定パラメータやその他電源が落とされても保持しておくべき種々のデータを記憶保持するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）やフラッシュメモリーなどの不揮発性メモリーを備えたものである。
【００２８】
システム制御部１８には、図１に示したように、プログラムメモリー１９、ユーザＩ／Ｆ２０が接続されている。プログラムメモリー１９は、システム制御部１８において実行される種々のプログラムや処理に必要なデータが記録されたものである。なお、上述もしたように、この実施の形態のＤＶＤデジタルビデオカメラのＤＶＤドライブ２は、赤色レーザー光と青色レーザー光との波長の異なる２つのレーザー光を使い分けることができるものであり、波長の異なるレーザー光を用いてデータが記録されることになる、異なるＤＶＤに対応してファイル管理を行うためのファイルシステムもプログラムメモリー１９に用意されている。
【００２９】
すなわち、プログラムメモリー１９には、赤色レーザー用として、ＤＶＤビデオフォーマットのＵＤＦブリッジファイルシステム、ＤＶＤビデオレコーディングフォーマットのＵＤＦファイルシステム、また、青色レーザー用として、ＤＶＤブルービデオフォーマットのＵＤＦファイルシステム、ＤＶＤブルービデオレコーディングフォーマットのＵＤＦファイルシステムなどが搭載されている。
【００３０】
また、ユーザＩ／Ｆ２０は、複数のファンクションキーやボタンスイッチ、スライドキーなどからなり、撮影開始や撮影終了、再生開始や再生終了などのユーザからの種々の指示入力を受け付けて、これをシステム制御部１８に通知することができるものである。これにより、システム制御部１８は、ユーザからの指示入力に応じて各部を制御することにより、ユーザの指示に応じた処理を行うことができるようにされる。
【００３１】
そして、この実施の形態のＤＶＤデジタルビデオカメラにおいては、図１に示したように、カメラ部１１と、カラーＬＣＤ１２とがビデオ／オーディオＩ／Ｆ部１３に接続するようにされている。
【００３２】
カメラ部１１は、レンズ、ＣＣＤ（Ｃｈａｒｇｅ  Ｃｏｕｐｌｅｄ  Ｄｅｖｉｃｅ）等を備え、レンズを通ってきた被写体の画像をＣＣＤによってアナログ映像信号に変換し、これを後段の回路部に供給する。また、カメラ部１１の近傍には、図示しないがマイクロホンが設けられており、撮影時に音声を収音し、収音した音声を電気信号に変換して取り込むこともできるようにされている。
【００３３】
カラーＬＣＤ１２は、カメラ部１１が捉えている画像やＤＶＤドライブ２に装填されたＤＶＤから読み出された映像データによる再生画像をカラー表示するようにするものである。また、例えば、カラーＬＣＤ１２の近傍には、図示しないがスピーカが設けられ、マイクロホンで収音された音声や、ＤＶＤドライブ２に装填されたＤＶＤから読み出された音声データによる再生音声が放音するようにされている。
【００３４】
ビデオ／オーディオＩ／Ｆ部１３は、カメラ部１１からのアナログ映像信号やマイクロホンからのアナログ音声信号を受け付けて、これらを自機において処理可能な形式のデジタル信号に変換し、これら変換後の映像データ、音声データを後段の圧縮／伸張信号処理部１４に供給する。このように、ビデオ／オーディオＩ／Ｆ部１３は、カメラ部１１などからの映像や音声を自機に取り込む機能を有している。
【００３５】
また、ビデオ／オーディオＩ／Ｆ部１３は、圧縮／伸張信号処理部１４からの伸張処理された映像データ、音声データをアナログ信号に変換し、アナログ映像信号をカラーＬＣＤ１２に供給するとともに、アナログ音声信号をスピーカに供給する。このように、ビデオ／オーディオＩ／Ｆ部１３は、映像や音声を自機から出力する機能を有している。
【００３６】
圧縮／伸張信号処理部１４は、ビデオ／オーディオＩ／Ｆ１３からの映像データ、音声データを所定の方式でデータ圧縮して、データ圧縮後の映像データ、音声データを後段のデータ制御部１５に供給したり、また、データ制御部１５からのデータ圧縮されている映像データ、データ圧縮されている音声データを伸張して、データ伸張後の映像データ、音声データをビデオ／オーディオＩ／Ｆ部１３に供給したりする。
【００３７】
なお、圧縮／伸張信号処理部１４において用いられるデータ圧縮方式は、静止画の場合はＪＰＥＧ（Ｊｏｉｎｔ  Ｐｈｏｔｏｇｒａｐｈｉｃ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）とその機能が発展した将来の代替えとなる方式、動画の場合はＭＰＥＧ２とその機能が発展した将来の代替えとなる方式などである。例えば、静止画圧縮方式の場合は標準化協議会のＣＩＰＡで検討中のＪＰＥＧ２０００方式、高画質動画の場合はＭＰＥＧ４−ＡＶＣと呼ばれるＨＤ（ハードディスク）対応高圧縮レートで注目される圧縮方式がある。もちろん、これらの方式に限ることなく、種々の方式を用いることも可能である。
【００３８】
データ制御部１５は、ＳＤＲＡＭ（Ｓｙｎｃｈｒｏｎｏｕｓ  Ｄｙｎａｍｉｃ  ＲＡＭ）などにより構成されるデータメモリー１５Ｍをバッファメモリーとして用い、非同期であるＤＶＤデジタルビデオカメラと、このＤＶＤデジタルビデオカメラに装填されたＤＶＤとの間における映像データ、音声データについての時間軸補正を行うようにしている。
【００３９】
したがって、カメラ部１１を通じて得た映像データや音声データをＤＶＤドライブ２に装填されたＤＶＤに記録する場合には、圧縮／伸張信号処理部１４からのデータが、データ制御部１５を通じてデータメモリー１５Ｍに記録されるとともに、データメモリー１５Ｍに先に記録されているデータがデータ制御部１５により読み出されてドライブ制御部１６に供給され、後述するように、ＤＶＤドライブ２に装填されたＤＶＤに記録されることになる。
【００４０】
また、ドライブ制御部１６を通じて供給されるＤＶＤドライブ２に装填されたＤＶＤから読み出された映像データ、音声データは、データ制御部１５を通じてデータメモリー１５Ｍに記録されるとともに、データメモリー１５Ｍに先に記録されているデータがデータ制御部１５により読み出されて圧縮／伸張信号処理部１４に供給され、上述もしたように、データ伸張、デジタル／アナログ変換されて、出力するようにされる。
【００４１】
このように、データメモリー１５Ｍは、いわゆるファースト−イン・ファースト−アウト（Ｆｉｒｓｔ  Ｉｎ  Ｆｉｒｓｔ  Ｏｕｔ）形式で使用され、例えばカメラ部１１から供給される時間的に連続する映像データや音声データを途切れることなく、ＤＶＤドライブ２に装填されたＤＶＤに記録したり、また、ＤＶＤドライブ２に装填されているＤＶＤに記録されている時間的に連続する映像データや音声データを途切れることなく再生したりすることができるようにしている。
【００４２】
そして、ドライブ制御部１６は、ＤＶＤドライブ２との接続インターフェースであり、この実施の形態においては、例えば、光ディスクドライブ用コマンド標準であるいわゆるＭｔ．Ｆｕｊｉマルチメディアコマンドセットを実装するＡＴＡＰＩインターフェースである。
【００４３】
なお、Ｍｔ．Ｆｕｊｉマルチメディアコマンドセットの正式名称は、ＳＦＦ８０９０ｉ  ｖ５  Ｓｍａｌｌ  Ｆｏｒｍ  Ｆａｃｔｏｒ  Ｃｏｍｉｔｔｅｅ  Ｓｐｅｃｉｆｉｃａｔｉｏｎ  ｏｆ：Ｍｔ．Ｆｕｊｉ  Ｃｏｍｍａｎｄｓ  ｆｏｒＭｕｔｉｍｅｄｉａ  Ｄｅｖｉｃｅｓである。
【００４４】
もちろん、インターフェースは、これに限るものではなく、シリアル形式への発展型インターフェース、無線通信型インターフェースなどの、光ディスク用のパケットコマンドを使用することができる種々のインターフェースやその他のインターフェースを用いるようにすることができる。
【００４５】
そして、上述もしたように、データ制御部１５からのデータは、ドライブ制御部１６を通じて、ＤＶＤドライブ２に供給されて、ＤＶＤドライブ２に装填されたＤＶＤに記録されることになる。また、ＤＶＤドライブ２に装填されたＤＶＤから読み出されたデータは、ドライブ制御部１６を通じてデータ制御部１５に供給され、上述したように、データ制御部１５、圧縮／伸張信号処理部１４、ビデオ／オーディオＩ／Ｆ部を通じて再生するようにされる。
【００４６】
また、この実施の形態のＤＶＤデジタルビデオカメラは、外部機器Ｉ／Ｆ部１７を備えている、この外部機器Ｉ／Ｆ部は、例えば、パーソナルコンピュータなどの外部機器との接続を可能にするものであり、例えば、ＵＳＢ（Ｕｎｉｖｅｒｓａｌ  Ｓｅｒｉａｌ  Ｂｕｓ）回路である。この外部機器Ｉ／Ｆ部１７を用いる場合には、データ制御部１５とドライブ制御部１６、あるいは、ドライブ制御部１６を通じてデータのやり取りを行うことができるようにされる。
【００４７】
［ＤＶＤドライブ２について］
次に、ＤＶＤドライブ２について説明する。図２は、この実施の形態のＤＶＤデジタルビデオカメラに搭載されたＤＶＤドライブ２を説明するためのブロック図である。図２に示すように、ＤＶＤドライブ２は、ファームウエア制御部２１、ホストインターフェース部（以下、ホストＩ／Ｆ部という。）２２、パケットデバイス情報部２３、メモリー制御部２４、ドライブキャッシュメモリー２５、書き込み／読み出し部２６、光ヘッド部（ＯＰＤ：Ｏｐｔｉｃａｌ  Ｐｉｃｋｕｐ  Ｄｅｖｉｃｅ）２７、ディスク検出部２８を備えやものである。また、図２において、ＤＶＤ３０は、ＤＶＤドライブ２に装填された光記録媒体（ＤＶＤ）を示している。
【００４８】
図２において、ホストＩ／Ｆ部２２は、ホスト装置部である情報処理部１のドライブ制御部１６とＡＴＡＰＩインターフェースで接続され、情報処理部１との間で、データの送受を行うようにするものである。パケットデバイス情報部２３は、ホストＩ／Ｆ部２２を通じて、情報処理部１との間で、上述したＭｔ．Ｆｕｊｉコマンドセットに対応するコマンド等のデータのパケット転送を非同期ハンドシェークで行うようにするものである。
【００４９】
そして、情報処理部１からのデータをＤＶＤ３０に記録する場合には、情報処理部１からのデータは、ホストＩ／Ｆ部２２を通じてメモリー制御部２４に供給される。メモリー制御部２４は、ドライブキャッシュメモリー２５をバッファメモリーとして用いて、データが途切れることがないようにして、書き込み／読み出し部２６に供給する。
【００５０】
書き込み／読み出し部２６は、データの記録時においては、ＣＲＣ（Ｃｙｃｌｉｃ  Ｒｅｄｕｎｄａｎｃｙ  Ｃｈｅｃｋ）エラー訂正符号の付加、変調処理を行って記録用信号を形成して、形成した記録用信号を光ヘッド部２７に供給する。光ヘッド部２７は、書き込み／読み出し部２６からの記録用信号に応じた記録用のレーザー光を、装填されたＤＶＤ３０に照射することにより、ＤＶＤ３０に記録用信号を記録するようにする。
【００５１】
また、データの再生時においては、光ヘッド部２７は、ＤＶＤ３０に読み出し用のレーザー光を照射し、その反射光を受光して電気信号に変換し、これが書き込み読み出し部２６に供給される。この場合、書き込み／読み出し部２６は、光ヘッド部２７からの電気信号について、復調処理、ＣＲＣエラー訂正符号のデコード処理とエラー訂正などを行い、復調後のデータをメモリー制御部２４を通じてホストＩ／Ｆ部２２に供給する。そして、復調されたデータは、ホストＩ／Ｆ部２２を通じて情報処理部１に供給される。
【００５２】
また、ＤＶＤドライバ２には、ＤＶＤが装填されたときに、光ヘッド部２７から照射したレーザー光の反射光を電気信号に変換して得られた信号の供給を受けて、装填されたＤＶＤの識別情報を読み取ることによって、ディスク種類などの情報を読み取るようにするディスク検出部２８が設けられている。
【００５３】
また、ディスク検出部２８からの検出結果の供給を受けて、ＤＶＤの種類などを判別するファームウエア制御部２１がある。ファームウエア制御部２１においての判別結果は、ホストＩ／Ｆ部２２を通じてホスト装置部である情報処理部１にハンドシェークプロトコルで通知される。また、ファームウエア制御部２１は、ＤＶＤドライブの各部を制御するシステムコントローラとしての機能をも有している。
【００５４】
また、この実施の形態のＤＶＤデジタルビデオカメラにおいて、光ヘッド部２７は、上述もしたように、装填されたＤＶＤに応じて、従来からの赤色レーザー光（例えば、波長６５０ｎｍ）と、青色レーザー光（例えば、波長４０５ｎｍ）との波長の異なる２つのレーザー光を使い分けることができるものである。
【００５５】
そして、詳しくは、後述するように、ＤＶＤドライブ２に装填されたＤＶＤの種類などの用いられるＤＶＤに関する情報が、情報処理部１のシステム制御部１８によって制御されるビデオ／オーディオＩ／Ｆ部１３を通じて、カラーＬＣＤ１２の表示画面に表示され、当該ＤＶＤデジタルビデオカメラのユーザに通知するようにされる。
【００５６】
この実施の形態のＤＶＤデジタルビデオカメラのＤＶＤドライブ２に装填して用いることが可能なＤＶＤには、ＤＶＤ−ＲＯＭ、ＤＶＤ−Ｒ、ＤＶＤ−ＲＷがあり、それぞれに赤色レーザー光が用いられてデータが書き込まれる従来からのものと、青色レーザー光が用いられてデータが書き込まれるＤＶＤ−Ｂｌｕｅがあって、各々のディスク識別情報はディスクの反射層に記録されていることとする。また、ディスク識別情報が、バーストカッティングを用いて記録されているＤＶＤも存在し、これを用いることも可能である。
【００５７】
すなわち、この実施の形態のＤＶＤデジタルビデオカメラにおいて利用可能なＤＶＤメディアとしては、（１）赤色レーザー用ＤＶＤ−ＲＯＭ、（２）赤色レーザー用ＤＶＤ−Ｒ、（３）赤色レーザー用ＤＶＤ−ＲＷ、（４）赤色レーザー用のメディアでバーストカッティングをメディア識別情報に使用するＤＶＤ、（５）青色レーザー用ＤＶＤ−ＲＯＭ、（６）青色レーザー用ＤＶＤ−Ｒ、（７）青色レーザー用ＤＶＤ−ＲＷ、（８）青色レーザー用のメディアでバーストカッティングをメディア識別情報に使用するＤＶＤがある。
【００５８】
この実施の形態のＤＶＤデジタルビデオカメラにおいては、ＤＶＤドライブ２のディスク検出部２８、ファームウエア制御部２１の機能によって、装填されたＤＶＤが上述した（１）〜（８）のどの種別（種類）のＤＶＤであり、その空き容量はどれ位か、さらに、ＤＶＤビデオフォーマットでデータが記録されている場合には、ファイナライズの有無をも検出し、これらの検出した記録媒体についての情報をカラーＬＣＤ１２を通じてユーザに対し、視認性よく通知することができるようにしている。
【００５９】
［ＤＶＤの種類とその判別方法について］
次に、この実施の形態のＤＶＤデジタルビデオカメラにおいて利用可能なＤＶＤメディアであるＤＶＤ‐ＲＯＭ、ＤＶＤ−Ｒ、ＤＶＤ−ＲＷ、バーストカッティングをメディア識別情報に使用するＤＶＤのそれぞれについて説明する。
【００６０】
［ＤＶＤ−ＲＯＭについて］
まず、ＤＶＤ−ＲＯＭについて説明する。図３は、ＤＶＤ−ＲＯＭの物理フォーマットについて説明するための図である。図３Ａに示すように、ＤＶＤ−ＲＯＭ１００は、その中央に再生機のスピンドルモータに固定するためのセンターホールＨを有し、内周側か順に、読出領域１０１、データ領域ＤＴ、終端領域１０９が設けられている。
【００６１】
データ領域ＤＴには、図３Ｂに示すように、内周側から管理データ領域１０２、リードインエリア１０３、ＶＯＬ（ボリューム）情報領域１０４、Ｆｉｌｅ  Ｓｙｓ（ファイルシステム）情報領域１０５、ＶＭＧ（Ｖｉｄｅｏ  Ｍａｎａｇｅｒ）情報領域１０６、ＶＴＳ（Ｖｉｄｅｏ  Ｔｉｔｌｅ  Ｓｅｔ）領域１０７（１）、１０７（２）、…、リードアウトエリア１０８、終端領域１０９が設けられる。
【００６２】
ＶＭＧ情報領域１０６は、図３Ｂに示すように、ＶＭＧＩ（Ｖｉｄｅｏ  Ｍａｎａｇｅｒ  Ｉｎｆｏｒｍａｔｉｏｎ）領域、メニューＶＯＢＳ（Ｖｉｄｅｏ  Ｏｂｊｅｃｔ  Ｓｅｔ）領域、Ｂｕｐ（Ｂａｃｋｕｐ）ＶＭＧＩ領域からなるものである。また、ＶＴＳ領域１０７（１）、１０７（２）、…は、映像情報や音声情報が記録されている部分であり、ＶＴＳ領域１０７（１）、１０７（２）、…のそれぞれが識別番号を有し、別個に管理されている。
【００６３】
なお、ＶＴＳ領域１０７（１）、１０７（２）、…のそれぞれは、例えば、映画や放送番組などの製作者が視聴者に提示しようとする１つの作品の映像情報と音声情報、あるいは１つの作品を複数の部分に分けた場合の各部分の映像情報と音声情報とを１まとまりにした１タイトル分の情報を有するものである。
【００６４】
そして、ＤＶＤ−ＲＯＭ１００の最内周側に位置する読出領域１０１には、メディア種別を示す種別識別コードなど、当該メディアに関する情報が記録されており、管理データ領域１０２には、他のディスクと自ディスクとを区別する識別情報やその他必要となる情報が記録されている。
【００６５】
また、リードインエリア１０３には、再生時に読み出される情報であって、記録されている情報の開始位置情報等が記録されており、ボリューム情報領域１０４には、ＤＶＤ−ＲＯＭ１００に記録されている情報全体を識別するための情報が記録されている。また、ファイルシステム領域１０５には、ＶＭＧ情報領域１０６、ＶＴＳ領域１０７（１）、１０７（２）、…におけるデータのファイル構造などを示す情報が記録されている。
【００６６】
そして、ＶＭＧ情報領域１０６には、例えば、ＶＭＧＩ領域に記録された情報全体を管理するための管理テーブル、各タイトルの名前を示すメニュー、それぞれのタイトル（ＶＴＳ）にアクセスするためのアクセステーブル、および、これらの情報のバックアップ情報などが記録されており、最外周側のリードアウトエリア１０８には、記録されている情報の再生を終了させる際に読み出される終了情報などが記録されている。
【００６７】
そして、図３Ｂにおいて、論理セクタ番号（ＬＳＮ：Ｌｏｇｉｃａｌ  Ｓｅｃｔｏｒ  Ｎｕｍｂｅｒ）＝０００００ｈ（ｈは、１６進数（Ｈｅｘａｄｅｃｉｍａｌ  Ｎｕｍｂｅｒｓ）を意味するものである。以下同じ。）以前、物理セクタ番号（ＰＳＮ：Ｐｈｙｓｉｃａｌ  Ｓｅｃｔｏｒ  Ｎｕｍｂｅｒ）＝３００００ｈ以前のエリアであって、ＤＶＤドライブ２のファームウエア制御部２１において把握可能な読出領域の種別識別コードに基づいて、ディスクの種別を判別することができる。
【００６８】
また、論理セクタ番号（ＬＳＮ）＝０００００ｈ、物理セクタ番号（ＰＳＮ）＝３００００ｈ以前のエリアの記録層の反射信号レベルが、ＤＶＤ−ＲＯＭに比較して、ＤＶＤ−Ｒ、ＤＶＤ−ＲＷの方が数十パーセント低いことを利用し、赤色レーザーで管理データ領域１０２の情報を読み取るようにし、その読み取り信号レベル（管理データ領域１０２からの反射光のレベル）に基づいて、ＲＯＭディスクか、それ以外のディスクかを識別することもできる。
【００６９】
このように、ＤＶＤ−ＲＯＭの場合には、最内周側の読出領域１０１の種別識別コードに基づいて、赤色レーザー用のＤＶＤ−ＲＯＭか、青色レーザー用のＤＶＤ−ＲＯＭかを識別することができ、また、管理データ領域１０２からの反射光のレベルによっても、ＤＶＤ−ＲＯＭか、それ以外のディスクかを識別することができるようにされる。
【００７０】
［ＤＶＤ−Ｒについて］
次に、ＤＶＤ−Ｒについて説明する。図４は、ＤＶＤ−Ｒの物理フォーマットについて説明するための図である。図４Ａに示すように、ＤＶＤ−Ｒ２００は、その中央に再生機、あるいは、記録機のスピンドルモータに固定するためのセンターホールＨを有し、内周側か順に、読出領域２０１、記録可能領域ＤＤ、終端領域２０８が設けられている。
【００７１】
記録可能領域ＤＤには、図４Ｂに示すように、内周側からビーム強度テスト領域２０２、管理データ領域２０３、リードインエリア２０４、ファイルシステム情報領域２０５、データ領域２０６、リードアウトエリア２０８、終端領域２０８が設けられる。
【００７２】
そして、ＤＶＤ−Ｒ２００の場合にも、読出領域２０１には、メディア種別を示す種別識別コードなど、当該メディアに関する情報が記録されている。また、ビーム強度テスト領域２０２には、記録に用いられるレーザー光（レーザービーム）の強度を設定するためのテスト時にテスト情報が記録される。管理データ領域２０３には、設定されたレーザー光の強度のデータや、記録過程において保持しておく必要の生じた情報が記録するようにされる。
【００７３】
また、リードインエリア２０４には、ＤＶＤ−Ｒ２００に記録された記録情報の再生を開始する際に読み出される開始情報などが情報の記録過程において記録するようにされている。また、ファイルシステム情報領域２０５には、記録情報のファイル構造を示す情報などが記録される。
【００７４】
また、データ領域２０６には、画像データや音声データ等の実際の記録情報が記録され、リードアウトエリア２０７には、記録された情報の再生を終了する場合に読み出される終了情報などが画像データや音声データなどの記録情報の記録過程において記録するようにされている。
【００７５】
そして、ＤＶＤ−Ｒ２００の場合にも、図３を用いて上述したＤＶＤ−ＲＯＭ１００の場合と同様に、論理セクタ番号（ＬＳＮ）＝０００００ｈ、物理セクタ番号（ＰＳＮ）＝３００００ｈ以前の領域の読出領域２０１に記録されている種別識別コードに基づいて、赤色レーザー用のＤＶＤ−Ｒか、青色レーザー用のＤＶＤ−Ｒかを識別することができるようにされる。
【００７６】
また、管理データ領域２０３の識別情報領域２０３１に記録される識別情報に基づいて、当該ディスクがＤＶＤ−Ｒか否かを識別したり、また、管理データ量域２０３からの反射光のレベルに基づいて、ＤＶＤ−ＲＯＭか、それ以外かを識別したりすることもできるようにされる。
【００７７】
そして、ＤＶＤ−Ｒの場合、上述したファイナライズ処理の必要な、ＤＶＤビデオフォーマットで情報が記録される場合が多いと考えられるため、ファイナライズ処理されたＤＶＤ−Ｒか否かを判別するようにもしている。図５は、ＤＶＤ−ＲにＤＶＤビデオフォーマットで画像データや音声データなどを記録するようにした場合を説明するための図である。図５において、図５Ａがファイナライズ処理前の状態を、また、図５Ｂがファイナライズ処理後の状態を示している。
【００７８】
ＤＶＤ−ＲにＤＶＤビデオフォーマットでデータを記録する場合には、ファイナライズ処理により、ボリューム情報、ファイルシステム情報、ＶＭＧ情報といった情報を記録するための未記録状態の領域である予約領域２０５が予め設けられる。予約領域２０５より内周側には、情報処理部１が直接的に読み出すことのできない、ＤＶＤドライブ２のファームウエアによってのみ利用される読出領域２０１、ビーム強度テスト領域２０２、管理データ領域２０３、リードインエリア２０４が設けられることは、図４を用いて上述した通りである。
【００７９】
そして、情報の記録時には、データ領域２０６に、図３を用いて上述したＤＶＤ−ＲＯＭ１００の場合と同様に、タイトル毎に、画像データや音声データのまとまりであるＶＴＳ＃１、ＶＴＳ＃２、…が記録されるとともに、管理データ量域２０３、リードインエリア２０４、リードアウトエリア２０７に必要な情報が記録するようにされる。
【００８０】
このようにして、データの記録が終了し、例えば、ユーザからの指示により、あるいは、記録機器から当該ＤＶＤ−Ｒが取り出されるようにされた場合には、ファイナライズ処理が行なわれ、図５に示すように、データ領域２０６に記録されたデータであるＶＴＳ＃１、ＶＴＳ＃２、…に基づいて、予約領域２０５に記録される情報である、ボリューム情報、ファイルシステム情報、ＶＭＧＩ、メニューＶＯＢＳ、バックアップＶＭＧＩがＤＶＤドライブ２において形成され、これらの情報がＤＶＤ−Ｒの予約領域２０５に記録される。
【００８１】
このファイナライズ処理を行うことにより、図３に示したＤＶＤ−ＲＯＭの物理フォーマットと同様に、ボリューム情報と、ファイルシステム情報と、ＶＭＧＩ、メニューＶＯＢＳ、バックアップＶＭＧＩからなるＶＭＧ情報とがリードインエリアとデータ領域との間に記録され、ＤＶＤ−ＲＯＭ互換ディスクとして、記録に用いた記録機とは別のＤＶＤ−ＲＯＭドライブで再生することができるようにされる。
【００８２】
したがって、図４に示したように、リードインエリア２０４とデータ領域２０６との間に設けられる予約領域２０５に、データが記録されているか否かに応じて、ファイナライズ処理が行われているか否かを判別することが可能となる。この場合、予約領域２０５に記録されるべき、ボリューム情報、ファイルシステム情報、ＶＭＧＩ、メニューＶＯＢＳ、バックアップＶＭＧＩの全てを確認する必要はなく、例えば、ファイルシステム情報やＶＭＧＩ情報が存在するか否かを検出することにより、ファイナライズ処理が行われたか否かを判断するようにしてもよい。
【００８３】
なお、例えば、ＤＶＤ−ＲにＤＶＤビデオフォーマットで情報を記録する場合に、ファイナライズ処理を短時間に正確に行うようにするなどのために、情報の記録時において、記録情報に基づき、ＶＭＧ情報などのファイナライズ処理において作成する情報を迅速に作成できるようにするための情報であるＴｅｍｐＶＭＧＩ（仮ＶＭＧＩ）を形成し、これをデータ領域に記録しておくようにすることも考えられる。このように、ＴｅｍｐＶＭＧＩを用いるようにした場合にも、ディスクの種別などの判別は上述したように行うことが可能である。
【００８４】
［ＤＶＤ−ＲＷについて］
次に、ＤＶＤ−ＲＷについて説明する。図６は、ＤＶＤ−ＲＷのリードインエリアの物理構造を説明するための図である。ＤＶＤ−ＲＷの場合にも、その外観および物理フォーマットの大枠は、図４に示したＤＶＤ−Ｒの場合と同じである。
【００８５】
すなわち、ＤＶＤ−ＲＷの場合にも、ディスクの内周側から外周側に向かって、読出領域２０１、ビーム強度テスト領域２０２、管理データ領域２０３、リードインエリア２０４、ファイルシステム情報領域２０５、データ領域２０６、リードアウトエリア２０７、終端領域２０８が設けられる。
【００８６】
そして、ＤＶＤ−ＲＷの場合、そのリードインエリア２０４には、図６に示すように、イニシャルゾーン３０１、システム予約エリア３０２、ＲＷ−物理フォーマット情報領域３０３、リファレンスゾーンおよびバッファゾーン３０４、エンボスビットが記録されるコントロールデータ領域３０５を有している。
【００８７】
そして、ＲＷ−物理フォーマット情報領域３０３には、適用されるＤＶＤ規格のタイプ（ＤＶＤ−ＲＯＭ、ＤＶＤ−ＲＡＭ、ＤＶＤ−ＲＷ等）およびパートバージョン、ディスクサイズおよび最大読出レート、ディスク構造（１層ＲＯＭ／ＲＡＭディスク、２層ＲＯＭ／ＲＡＭディスク）、記録密度、読出しパワー、ピークパワー、バイアスパワー、媒体の製造に関する諸情報等が記録されている。
【００８８】
また、コントロールデータ領域にも、ＤＶＤ規格のタイプ（ブックタイプ）やディスクの層の数などの物理フォーマット情報や、媒体の製造に関する諸情報等がエンボス記録されている。
【００８９】
これら、ＲＷ−物理フォーマット情報領域やエンボス記録されたコントロールデータ領域の情報を読み取ることにより、当該ディスクが、赤色レーザー用のＤＶＤ−ＲＷか、青色レーザー用のＤＶＤ−ＲＷかを確実かつ正確に検出することができるようにされる
［バーストカッティングをメディア識別情報に使用するＤＶＤについて］
次に、ディスクの最内周側にバーストカッティング領域を設け、このバーストカッティング領域にメディア識別情報をバーストカッティングによって記録するようにしたＤＶＤ（以下、バーストカッティング領域を有するＤＶＤという）について説明する。なお、このバーストカッティング領域を有するＤＶＤ４００は、ＤＶＤ−ＲＯＭ、ＤＶＤ−Ｒ、ＤＶＤ−ＲＷのいずれにも適用可能なものである。
【００９０】
図７は、バーストカッティング領域を有するＤＶＤ４００について説明するための図である。図７Ａに示すように、バーストカッティング領域を有するＤＶＤ４００は、ディスクの最内周部分にバーストカッティング領域４０１を設けるようにしたものである。このバーストカッティング領域４０１の外側には、図７Ａに示すように、リードンインエリア（再生専用領域４０２、記録再生領域４０３）、  ユーザデータ領域４０４、リードアウトエリア４０５が設けられることになる。
【００９１】
そして、バーストカッティング領域には、高パワーレーザー光をフォーカスレンズを介して、ＤＶＤ４００の反射層にパルス状に照射して、高パワーレーザー光を照射した部分の反射層を除去することにより、例えば、位相符号化変調（Ｐｈａｓｅ  ｅｎｃｏｄｉｎｇ  ｍｏｄｕｌａｔｉｏｎ）したストライプ状のデータが記録される。
【００９２】
再生時においては、バーストカッティング領域に読み取り用のレーザー光を照射すると、反射層が除去された部分で反射光量が低下するので、反射光量の変化を検出し、この変化を２値化して、位相符号化復調（Ｐｈａｓｅ  ｅｎｃｏｄｉｎｇ  ｍｏｄｕｌａｔｉｏｎ）することにより、データを読み取ることができる。
【００９３】
このように、バーストカッティング領域にディスクの種別等を識別するための種別識別コードをバーストカッティングにより記録しておくことにより、このバーストカッティング領域のデータを読み出すことによって、種別識別コードを取得し、そのディスクの種別、すなわち、ＤＶＤ−ＲＯＭ、ＤＶＤ−Ｒ、ＤＶＤ−ＲＷの内のどれであり、それが赤色レーザー用なのか、青色レーザー用なのかを識別することができるようにされる。
【００９４】
なお、バーストカッティング領域４０１には、図７Ｂ（ａ）に示すように、記号ＳＹで示される同期コードによって、記号ＤＡＴＡ０、ＤＡＴＡ１、…で示されるデータが記録するようにされ、さらに、読み取り率を良好に保つために、記号ＥＤＣで示されるエラー検出コード、記号ＰＡＲＩＴＹ０で示されるエラー訂正コードなどが付加されて記録される。
【００９５】
そして、再生する場合には、図７Ｂ（ｂ）に示すように、同期コードが除去され、エラー検出コードやエラー訂正コードによって、エラー訂正されたデータ（ＤＡＴＡ０、ＤＡＴＡ１、…を抽出し、これを用いることができるようにされる。
【００９６】
［ディスクの種別判別についてのまとめ］
以上の説明から明らかなように、ＤＶＤ−ＲＯＭ、ＤＶＲ−Ｒ、ＤＶＤ−ＲＷのいずれのディスクの場合にも、論理セクタ番号＝０００００ｈ以前の領域の読出領域、管理データ領域、あるいは、ＲＷ−物理フォーマット情報領域、コントロールデータ領域、あるいは、バーストカッティング領域に記録されている情報に基づいて、赤色レーザー用のディスクか、青色レーザー用のディスクなどのディスクの種別を判別することができるようにされる。したがって、この判別したディスク種別をカラーＬＣＤ１２などを通じてユーザに通知することが可能である。
【００９７】
また、ＤＶＤドライブ２においては、例えば、記録済みのデータをたどることにより、あるいは、装填されたＤＶＤディスクの所定の記録情報に基づいて、記録済み容量を検出することが可能である。また、装填されたＤＶＤの総記憶容量は、ＤＶＤの所定の領域の情報に基づいて正確に分かるので、この総記憶容量から上述のようにして得られる記録済み容量を減算することにより、当該装填されたディスクの空き容量を算出することが可能である。したがって、この空き容量をも、カラーＬＣＤ１２などを通じてユーザに通知することが可能である。
【００９８】
さらに、ＤＶＤビデオフォーマットでデータをＤＶＤに記録した場合には、ファイナライズ処理が実行されたか否かを正確に検出することができるので、ファイナライズ処理が行われたか否かを通知することも可能である。
【００９９】
［ディスクの種別の通知について］
そして、この実施の形態のＤＶＤデジタルビデオカメラにおいては、レーザー光源として、赤色レーザーと青色レーザーとを使い分けることができるので、用いるＤＶＤが赤色レーザー用なのか、青色レーザー用なのかを明確にユーザに通知するようにしている。
【０１００】
この実施の形態のＤＶＤデジタルビデオカメラは、カラーＬＣＤ１２を備えている。カラーＬＣＤ１２は、赤（Ｒ）、緑（Ｇ）、青（Ｂ）の３原色の色フィルタ、赤（Ｒ）、緑（Ｇ）、青（Ｂ）の３原色の発光体を有するものである。したがって、長波長域（波長：６００ｎｍ〜７８０ｎｍ、橙、赤といった赤色光）、中波長域（波長：５００ｎｍ〜６００ｎｍ、緑、黄といった緑色光）、短波長域（波長：３８０ｎｍ〜５００ｎｍ、青紫、藍、青といった青色光）の表現が可能なものである。
【０１０１】
そこで、赤色レーザー用のＤＶＤである場合には、これを長波長域の赤色光の色表示により通知するようにし、また、青色レーザー用のＤＶＤである場合には、これを短波長域の青色光の色表示により通知するようにする。つまり、単に赤の表示、青の表示というのではなく、長波長域の色表示、短波長域の色表示により、ユーザに対し、用いようとしている、すなわち、この実施の形態のＤＶＤデジタルビデオカメラに装填されているＤＶＤが、赤色レーザー用なのか、青色レーザー用なのかを視覚を通じて迅速かつ正確に認識することができるようにしている。
【０１０２】
もちろん、用いるレーザー光の種別だけでなく、空き容量表示やファイナライズの有無についても、できるだけ単純な表示で、ユーザが考えることなく、直感的に、かつ、正確に認識できるようにしている。
【０１０３】
図８〜図１０は、ディスクの種別、空き容量、ファイナライズ有無を通知する表示の一例を説明するための図である。図８Ａに示すように、カラーＬＣＤ１２の例えば右上部分などに媒体情報表示アリアＧを設け、ここに例えば、使用するＤＶＤの記録済み容量と空き容量とを示す円グラフの形式の容量表示Ｇ１、ファイナライズ済み表示Ｇ２、記録可能時間表示Ｇ３、未ファイナライズ表示Ｇ４の表示を行うようにする。
【０１０４】
この場合、図８Ｂに示すように、用いるＤＶＤが赤色レーザー用のものであると判別した場合には、記録済容量に対応する記録済容量表示Ｇ１１Ｒは濃い赤色で表示し、空き容量に対応する空き容量表示Ｇ１２Ｒは薄い赤色で表示する。また、空き容量に応じて、記録可能時間表示Ｇ３を表示することにより、ユーザは、後どれ位の記録が可能であるかを明確に知ることができる。
【０１０５】
また、用いるＤＶＤがＤＶＤ−Ｒである場合には、ＤＶＤビデオフォーマットでデータが記録されると判断し、ファイナライズ処理済みであれば、図８Ａに示すように、容量表示Ｇ１と記録可能時間表示Ｇ３とを分断するようにして、ファイナライズ済表示Ｇ２を表示するようにし、ファイナライズ処理が終了していることを示すようにする。
【０１０６】
また、用いるＤＶＤがＤＶＤ−Ｒである場合であって、ファイナライズ処理済みでない場合には、図８Ｃに示すように、容量表示Ｇ１の左側に未ファイナライズ表示Ｇ４を表示するようにすることにより、ファイナライズ処理は行われていないことを通知することができる。
【０１０７】
また、用いるＤＶＤが、ＤＶＤ−ＲＯＭの場合には、そもそもデータは記録できないのでファイナライズ処理が行われることはなく、また、ＤＶＤ−ＲＷの場合には、ＤＶＤビデオレコーディングフォーマットが用いられることが多く、ファイナライズ処理を行う必要もないので、図８Ｂに示したように、容量表示Ｇ１と、記録可能時間表示Ｇ３とが表示される表示態様となる。この記録可能時間表示の時間は、例えば、（残量データ量÷選択された圧縮モードでの平均ビットレート）でのおよその残り記録可能時間を計算して得た値を用いるようにすればよい。
【０１０８】
なお、ＤＶＤ−ＲＯＭの場合には、データの追加記録はできないので、容量表示Ｇ１は、演奏済み容量表示と残り演奏容量とからなる演奏チャプタ表示となり、記録可能時間表示Ｇ３は、演奏残り時間表示となる。
【０１０９】
また、記録容量表示Ｇ１１Ｒ、空き容量表示Ｇ１２Ｒのそれぞれは、（記録済容量÷総記憶容量）、（空き容量÷総記憶容量）で得られる値を例えば１０％単位切り上げの態様で表示するようにすればよい。
【０１１０】
また、用いるＤＶＤが青色レーザー用のものである場合も同様であるが、記録済容量表示、空き容量表示の表示色が赤色ではなく、青色になる。つまり、図９Ａに示すように、用いるＤＶＤが、青色レーザー用のＤＶＤ−ＲＷである場合には、円グラフの形式の容量表示Ｇ１において、記録済容量表示Ｇ１１Ｂ部分が濃い青色で表示され、空き容量表示Ｇ１２Ｂ部分が薄い青色で表示するようにされる。また、記録可能時間表示Ｇ３も表示される。
【０１１１】
また、図９Ｂに示すように、用いるＤＶＤが青色レーザー用のＤＶＤ−Ｒであって、ファイナライズ処理済みである場合には、円グラフの形式の容量表示Ｇ１、記録可能時間表示Ｇ３に加えて、ファイナライズ済表示Ｇ２が表示される。また、図９Ｃに示すように、用いるＤＶＤが青色レーザー用のＤＶＤ−Ｒであって、ファイナライズ未処理である場合には、円グラフの形式の容量表示Ｇ１、記録可能時間表示Ｇ３に加えて、未ファイナライズ表示Ｇ４が表示される。
【０１１２】
また、ＤＶＤ−ＲＯＭの場合には、データの追加記録はできないので、容量表示Ｇ１として、演奏済み容量表示と残り演奏容量とからなる演奏チャプタ表示が青色で表示するようにされ、また、記録可能時間表示Ｇ３は、演奏残り時間表示として表示される。
【０１１３】
また、図８、図９においては、容量表示Ｇ１を円グラフの形式で表示するものとして説明したが、これに限るものではない。例えば、図１０に示すように、容量表示を棒グラフの形式で表示するようにしてもよい。すなわち、図１０Ａに示すように、カラーＬＣＤ１２の表示画面の右下部分に媒体情報通知エリアＧＧを設け、ここに容量表示ＧＧ１、記録可能時間表示ＧＧ２を表示するようにする。
【０１１４】
容量表示ＧＧ１は、図１０Ｂ、図１０Ｃに示すように、記録済容量表示ＧＧ１と、空き容量表示ＧＧ１２とからなっている。そして、用いるＤＶＤが赤色レーザー用である場合には、記録済容量表示ＧＧ１部分は濃い赤色で表示され、空き容量表示ＧＧ１２部分は薄い赤色で表示される。また、用いるＤＶＤが青色レーザー用である場合には、記録済容量表示ＧＧ１部分は濃い青色で表示され、空き容量表示ＧＧ１２部分は薄い青色で表示される。
【０１１５】
そして、用いるＤＶＤがＤＶＤ−Ｒである場合であって、既にファイナライズ処理がされている場合には、図１０Ｂに示したように、ファイナライズ済表示ＧＧ３が表示されることになる。また、用いるＤＶＤがＤＶＤ−Ｒである場合であって、ファイナライズ処理がされていない場合には、図１０Ｃに示したように、未ファイナライズ表示ＧＧ４が表示されることになる。
【０１１６】
つまり、容量表示部分が、円グラフ形式から、棒グラフ形式に変えられたことを除けば、この図１０の場合も、図８、図９の場合と同様にして、媒体についての情報をユーザに通知するようにすることができる。
【０１１７】
また、ここでは、記録済領域表示を濃い赤色、濃い青色で行い、空き領域表示を薄い赤色、薄い青色で行うようにした。これは、空き領域表示を例えば色なしで表現するようにした場合には、未使用ＤＶＤの場合、赤色レーザー用か、青色レーザー用かを通知することができなくなるためである。したがって、薄い赤色、薄い青色といっても、ユーザが確実に赤い、青いと認識できる低の濃さを有するものである。
【０１１８】
この他、図８、図９に示した容量表示Ｇ１、ＧＧ１のたとえば中心部分などの一部分を、用いるＤＶＤが赤色レーザー用か青色レーザー用かに応じて色分けするようにしたり、あるいは、媒体情報通知エリアの背景を用いるＤＶＤが赤色レーザー用か青色レーザー用かに応じて色分けするようにしたりしてもよい。
【０１１９】
また、用いるＤＶＤが赤色レーザー用である場合には“Ｒｅｄ”、“赤”、“Ｒ”等の文字を表示し、青色レーザー用である場合には、“Ｂｌｕｅ”、“青”、“Ｂ”等の文字を表示して、ユーザに通知するようにしてもよい。
【０１２０】
この他、カラーＬＣＤ１２の表示エリアの縁部分を用いるＤＶＤが赤色レーザー用か青色レーザー用かに応じて縁取りしたりするなど、カラーＬＣＤ１２のいずれかの部分に用いるＤＶＤが赤色レーザー用か青色レーザー用かに応じた色表示を行うようにしてもよい。
【０１２１】
すなわち、図８、図９、図１０に示したように、図形や絵の色を変えることにより、あるいは、文字や記号により、用いるＤＶＤが赤色レーザー用か青色レーザー用かを明確に通知するようにする。もちろん、文字や記号をＤＶＤが赤色レーザー用か青色レーザー用かに応じて異なる色で表示するようにしてもよい。
【０１２２】
また、図形、絵、文字、記号に色を施す場合には、用いるレーザー光の波長と同一の波長の色を用いてもよいが、例えば、用いるＤＶＤが赤色レーザー用の場合には、長波長域（波長：６００ｎｍ〜７８０ｎｍ、橙、赤といった赤色光）を用い、用いるＤＶＤが赤色レーザー用の場合には、短波長域（波長：３８０ｎｍ〜５００ｎｍ、青紫、藍、青といった青色光）を用いるようにすればよい。すなわち、ユーザが一見して用いるＤＶＤが赤色レーザー用か青色レーザー用かを認識できる色をもちるようにすればよい。
【０１２３】
また、媒体情報表示エリアの位置は、上述したものに限ることなく、カラーＬＣＤ１２の表示画面の適宜の位置に設けるようにすることができる。また、容量表示Ｇ１、ＧＧ１、記録可能時間表示Ｇ３、ＧＧ２などの表示は、ユーザによって表示したり、表示しないようにしたりすることは言うまでもない。すなわち、ユーザは必要に応じて、容量表示Ｇ１、ＧＧ１、記録可能時間表示Ｇ３、ＧＧ２などの表示を行うようにすることができる。
【０１２４】
このように、この実施の形態のＤＶＤデジタルビデオカメラにおいては、自機に装填されたＤＶＤが、ＤＶＤ−ＲＯＭ、ＤＶＤ−Ｒ、ＤＶＤ−ＲＷのいずれであり、かつ、赤色レーザー用のものか、青色レーザー用のものかを迅速かつ正確に判別するとともに、空き容量、ファイナライズ処理の有無をも正確に判別して、これらの情報をユーザに分かりやすく通知することができるようにしている。
【０１２５】
［ＤＶＤデジタルビデオカメラの具体的な動作について］
次に、上述したように、この実施の形態のＤＶＤデジタルビデオカメラにおいて行われるディスクについての情報（媒体情報）を通知する場合の処理について、図１１、図１２のフローチャートおよび図１３を参照しながら説明する。図１１のフローチャートは、この実施の形態のＤＶＤデジタルビデオカメラにＤＶＤが装填された場合に行なわれる媒体情報の通知処理を説明するためのものである。
【０１２６】
上述もしたように、この実施の形態のＤＶＤデジタルビデオカメラにおいて、情報処理部１とＤＶＤドライブ２とは、Ｍｔ．Ｆｕｊｉマルチメディアコマンドセットを実装するＡＴＡＰＩインターフェースで接続されている。このため、ＤＶＤが装填された場合には、情報処理部１のドライブ制御部１６は、ＴｅｓｔＵｎｉｔＲｅａｄｙ（００ｈ）のコマンドを発し、続いてＲｅｑｕｅｓｔＳｅｎｓｅによってドライブにメディアがチャッキングされ、スピンドルモータの回転が開始されたか否かを確認する。
【０１２７】
情報処理部１が、装填されたＤＶＤがチャッキングされ回転が開始されたことを確認すると、ドライブ制御部１６は、一連のドライブ設定のコマンド発行のあと、ＲｅａｄＤＶＤＳｔｒｕｃｔｕｒｅ（コマンドコードＡＤｈ）パケットコマンドを発行し、論理セクタ番号＝０００００ｈ以前の領域のデータを読み出すように指示を出し、ＤＶＤドライブ２において、ドライブファームウエア制御部２１は、光ヘッド部２７、ディスク検出部２８を制御して、論理セクタ番号＝０００００ｈ以前の領域のデータを読み出し（ステップＳ１）、読み出したデータに基づいて一連のメディア種別の判別処理を実行する（ステップＳ２）。
【０１２８】
そして、情報処理部１のシステム制御部１８は、ＤＶＤドライブ２にけるステップＳ２おいてのディスクの種別の判別結果に基づいて、処理モードを切り換えるようにする（ステップＳ３）。
【０１２９】
このステップＳ３における処理を具体的に説明すると以下のようになる。ＤＶＤドライブ２にけるステップＳ２おいてのディスクの種別の判別が終了すると、その判別結果に基づいて、パケットデバイス情報部２３がパケットコマンド応答のデータページを構成し、ホストＩ／Ｆ部２２を介して情報処理部１のシステム制御部１８に返すようにしてくる。
【０１３０】
この場合、パケットデバイス情報部２３は、例えば、上述したＭｔ．Ｆｕｊｉマルチメディアコマンドセットにおいて規定されているＴａｂｌｅ２９７−ＲＥＡＤ  ＤＶＤ  ＳＴＲＵＣＴＵＲＥ  Ｄａｔａ  Ｆｏｒｍａｔに従って応答データページを構成するので、この構成されたデータページを情報処理部１のシステム制御部１８がドライブ制御部１６を介して参照することになる。
【０１３１】
すなわち、ホストシステムである情報処理部１のシステム制御部１８は、ドライブ制御部１６を介して、例えば、パケットデバイス情報部２３に保持される情報であって、上述したＭｔ．Ｆｕｊｉマルチメディアコマンドセットにおいて規定されているＴａｂｌｅ２９７−ＲＥＡＤ  ＤＶＤ  ＳＴＲＵＣＴＵＲＥ  Ｄａｔａ  Ｆｏｒｍａｔ（Ｗｉｔｈ  Ｆｏｒｍａｔ  Ｆｉｅｌｄ＝００ｈ）を参照し、先頭側の５バイト目から始まるＤＶＤリードインストラクチャの応答データの最初のバイト列のフィールド、ブックタイプ（Ｂｏｏｋ  Ｔｙｐｅ）を読み出して、ＤＶＤディスクのメディア種別の判別結果を得る。
【０１３２】
ここでブックタイプの値は、００００ｂ（ｂは、２進数（Ｂｉｎａｒｙ  Ｎｕｍｂｅｒｓ）を意味する。以下同じ。）はＤＶＤ−ＲＯＭ、０００１ｂはＤＶＤ−ＲＡＭ、００１０ｂはＤＶＤ−Ｒ、００１１ｂはＤＶＤ−ＲＷ、１００１ｂはＤＶＤ＋ＲＷ、その他のフィールド値は現在、予約になっているが、ここのＯｔｈｅｒｓタイプのＲｅｓｅｒｖｅｄの一つの値でＤＶＤブルーディスクであることを示すようにすれば、赤色レーザー用だけなく、青色レーザー用のディスクについても対処可能となる。
【０１３３】
そして、情報処理部１のシステム制御部１８は、ステップＳ３において取得したメディア種別の判別結果が、赤色レーザー用のＤＶＤ−ＲＯＭであることを示している場合には、ＤＶＤビデオフォーマット（ＤＶＦ）のＵＤＦブリッジファイルシステムのＡＰＩ（Ａｐｐｌｉｃａｔｉｏｎ  Ｐｒｏｇｒａｍ  Ｉｎｔｅｒｆａｃｅ）を介して、ＤＶＤドライブ２からディスク全容量をセクタ数で取得する（ステップＳ４）。
【０１３４】
この後、図８あるいは図１０を用いて説明したように、赤色波長域の図形表示で演奏チャプタ表示と演奏残り時間表示とを行う（ステップＳ５）。ＤＶＤ−ＲＯＭは読み出し専用ディスクであり、データは全て記録されていて、演奏再生開始は常に論理セクタ番号＝０００００ｈからだからである。
【０１３５】
また、情報処理部１のシステム制御部１８は、ステップＳ３において取得したメディア種別の判別結果が、赤色レーザー用のＤＶＤ−Ｒであることを示しているときには、ＤＶＤビデオフォーマット（ＤＶＦ）のＵＤＦブリッジファイルシステムのＡＰＩを介して、ＤＶＤドライブ２からディスク全容量情報と空き容量情報（記録可能な残量容量情報）を取得するとともに、ファイナライズ処理されているか否かの情報をも取得する（ステップＳ６）。
【０１３６】
この後、ステップＳ６の処理を受けて、図８あるいは図１０を用いて説明したように、赤色波長域の図形表示で、残量図形を全体分の残量の図形表示として表示するとともに、ファイナライズ済み表示あるいは未ファイナライズ表示を行う（ステップＳ７）。
【０１３７】
また、情報処理部１のシステム制御部１８は、ステップＳ３において取得したメディア種別の判別結果が、赤色レーザー用のＤＶＤ−ＲＷであることを示しているときには、ＤＶＤビデオレコーディングフォーマット（ＤＶＲＦ）のＵＤＦブリッジファイルシステムのＡＰＩを介して、ＤＶＤドライブ２からディスク全容量情報と空き容量情報（記録可能な残量容量情報）を取得する（ステップＳ８）。
【０１３８】
なお、赤色レーザー対応ＤＶＤ−ＲＷメディアと判別されたディスクの場合には、使用可能な記録フォーマットには２通りの場合が可能である。すなわち、ＤＶＤビデオフォーマットと、ＤＶＤビデオレコーディングフォーマットである。
【０１３９】
そして、ＤＶＤ−ＲＷを用いる場合、書き換え可能である特徴を生かして、編集作業などを行うことが多いので、この実施の形態においては、赤色レーザー用のＤＶＤ−ＲＷであると判別されら場合には、記録フォーマットは、ＤＶＤビデオレコーディングフォーマットであると判断するようにしている。
【０１４０】
この後、ステップＳ８の処理を受けて、図８あるいは図１０を用いて説明したように、赤色波長域の図形表示で、残量図形を全体分の残量の図形表示として表示する（ステップＳ９）。
【０１４１】
なお、ＤＶＤ−ＲＯＭドライブでＤＶＤ−ＲＷを再生できるようにする場合には、ＤＶＤ−ＲＯＭ下位互換を確立するために、記録フォーマットとしてはＤＶＤビデオフォーマットを用い、最終的には、ファイナライズ処理を行うことが前提となる。
【０１４２】
このため、ステップＳ３において、装填されたディスクに記録されている情報に基づいて、記録フォーマットの別についても判別することにより、情報処理部１において行われるステップＳ８の処理において、ＤＶＤビデオフォーマットでデータが記録するようにされているか、ＤＶＤビデオレコーディングフォーマットでデータが記録するようにされているかを識別するようにする。
【０１４３】
そして、ＤＶＤビデオフォーマットでデータが記録するようにされている場合には、ステップＳ８の処理においては、ファイナライズ処理されているか否かの情報をも取得し、ステップＳ９においては、図８Ａ、Ｃ、図１０Ｂ、Ｃに示した態様でディスクにかかる情報を表示するようにし、ファイナライズ済み表示あるいは未ファイナライズ表示を行うようにすることもできる。
【０１４４】
また、情報処理部１のシステム制御部１８は、ステップＳ３において取得したメディア種別の判別結果が、青色レーザー用のＤＶＤ−ＲＯＭ（ＤＶＤ−Ｂ−ＲＯＭ）であることを示している場合には、ＤＶＤビデオフォーマット（ＤＶＦ）のＵＤＦブリッジファイルシステムのＡＰＩ（Ａｐｐｌｉｃａｔｉｏｎ  Ｐｒｏｇｒａｍ  Ｉｎｔｅｒｆａｃｅ）を介して、ＤＶＤドライブ２からディスク全容量をセクタ数で取得する（ステップＳ１０）。
【０１４５】
この後、図９あるいは図１０を用いて説明したように、青色波長域の図形表示で演奏チャプタ表示と演奏残り時間表示とを行う（ステップＳ１１）。ステップＳ４の説明において上述したように、ＤＶＤ−ＲＯＭは読み出し専用ディスクであり、データは全て記録されていて、演奏再生開始は常に論理セクタ番号＝０００００ｈからだからである。
【０１４６】
また、情報処理部１のシステム制御部１８は、ステップＳ３において取得したメディア種別の判別結果が、青色レーザー用のＤＶＤ−Ｒ（ＤＶＤ−Ｂ−Ｒ）であることを示しているときには、ＤＶＤビデオフォーマット（ＤＶＦ）のＵＤＦブリッジファイルシステムのＡＰＩを介して、ＤＶＤドライブ２からディスク全容量情報と空き容量情報（記録可能な残量容量情報）を取得するとともに、ファイナライズ処理されているか否かの情報をも取得する（ステップＳ１２）。
【０１４７】
この後、ステップＳ６の処理を受けて、図８あるいは図１０を用いて説明したように、青色波長域の図形表示で、残量図形を全体分の残量の図形表示として表示するとともに、ファイナライズ済み表示あるいは未ファイナライズ表示を行う（ステップＳ１３）。
【０１４８】
また、情報処理部１のシステム制御部１８は、ステップＳ３において取得したメディア種別の判別結果が、青色レーザー用のＤＶＤ−ＲＷ（ＤＶＤ−Ｂ−ＲＷ）であることを示しているときには、ＤＶＤビデオレコーディングフォーマット（ＤＶＲＦ）のＵＤＦブリッジファイルシステムのＡＰＩを介して、ＤＶＤドライブ２からディスク全容量情報と空き容量情報（記録可能な残量容量情報）を取得する（ステップＳ１４）。
【０１４９】
なお、青色レーザー対応ＤＶＤ−ＲＷメディアと判別されたディスクの場合には、上述した赤色レーザー対応ＤＶＤ−ＲＷメディアと判別されたディスクの場合と同様に、ＤＶＤビデオフォーマットと、ＤＶＤビデオレコーディングフォーマットとの使用が可能である。
【０１５０】
しかし、ＤＶＤ−ＲＷを用いる場合、書き換え可能である特徴を生かして、編集作業などを行うことが多いので、この実施の形態においては、青色レーザー用のＤＶＤ−ＲＷであると判別されら場合においても、記録フォーマットは、ＤＶＤビデオレコーディングフォーマットであると判断するようにしている。
【０１５１】
この後、ステップＳ１４の処理を受けて、図９あるいは図１０を用いて説明したように、青色波長域の図形表示で、残量図形を全体分の残量の図形表示として表示する（ステップＳ１５）。
【０１５２】
なお、青色レーザー用のＤＶＤ−ＲＯＭの再生が可能なドライブで青色レーザー用のＤＶＤ−ＲＷを再生するようにする場合には、ＤＶＤ−ＲＯＭ下位互換を確立するために、記録フォーマットとしてはＤＶＤビデオフォーマットを用い、最終的には、ファイナライズ処理を行うことが前提となる。
【０１５３】
このため、ステップＳ３において、装填されたディスクに記録されている情報に基づいて、記録フォーマットの別についても判別することにより、情報処理部１において行われるステップＳ１４の処理において、ＤＶＤビデオフォーマットでデータが記録するようにされているか、ＤＶＤビデオレコーディングフォーマットでデータが記録するようにされているかを識別するようにする。
【０１５４】
そして、ＤＶＤビデオフォーマットでデータが記録するようにされている場合には、ステップＳ１４の処理においては、ファイナライズ処理されているか否かの情報をも取得し、ステップＳ１５においては、図９Ｂ、Ｃ、図１０Ｂ、Ｃに示した態様でディスクにかかる情報を表示するようにし、ファイナライズ済み表示あるいは未ファイナライズ表示を行うようにすることもできる。
【０１５５】
なお、青色レーザー用のＤＶＤ−Ｂ−ＲＷの場合には、ＰＣとシームレスにつながり広く普及されているＤＶＤビデオレコーディングフォーマットの代用として、ＢＳデジタル放送受信装置のＭＰＥＧ−ＴＳ記録装置にカスタマイズされるＤＶＤ  Ｂｌｕｅ  ＲＡＭディスク専用のＣｌｉｐ単位でＰｌａｙ  Ｌｉｓｔを使用するＡＶデータファイルシステムを使用することも可能であり、これを識別して通知することも可能である。
【０１５６】
そして、図１１に示すステップＳ５、Ｓ７、Ｓ９、Ｓ１１、Ｓ１３、Ｓ１５の情報の表示処理の後、この図１１に示す処理を終了することになる。なお、ステップＳ５、Ｓ７、Ｓ９、Ｓ１１、Ｓ１３、Ｓ１５の情報の表示は、適宜の時間表示した後、自動的に表示を終了するようにすることもできるし、ユーザからの指示に応じて表示を終了するようにすることもできる。
【０１５７】
また、図１１に示したディスクについての情報を通知する処理は、ディスクが装填された場合だけでなく、例えば、当該ＤＶＤデジタルビデオカメラに電源が投入された場合であって、何らかのＤＶＤが既に装填されている場合に自動的に行うようにしてもよい。もちろん、その他の適宜のタイミングで自動的に行うようにしてもよい。
【０１５８】
また、ユーザＩ／Ｆ部２０を通じてディスクについての情報を通知する処理を行うことの指示を受けた適宜のタイミングで、図１１に示したディスクについての情報を通知する処理を行うようにすることもできる。
【０１５９】
なお、ステップＳ１、ステップＳ２の処理においては、まず赤色レーザーを発し、読み取りした識別コード結果からメディア種別を判別する。ここで、青色レーザーであっても、読み取り専用ディスクは反射率が高いのでＲＯＭであることを判別しうる。
【０１６０】
また、赤色または青色レーザー対応ディスクであるかについては、メディアのリードイン内周側の読み取り専用部分をエンボス反射層などとして、光反射率を高くしておいて読み取りした識別コード結果からメディア種別を判別してよい。
【０１６１】
あるいは読み取り部分の記録層の反射信号レベルが、ＲＯＭディスクに比較してＲディスクとＲＷディスクが数１０％低いことを活用して、赤色レーザーでリードイン内周の記録対応のメディア反射膜部分の管理データ領域を読み取って、その読み取り信号レベル検出信号で判別してよい。
【０１６２】
そして、ＲＯＭディスクであって識別コードが赤色レーザー用ディスクを示さないとき、あるいはメディア反射膜部分が赤色レーザーでの読み取りが不可能な反射信号レベルであって青色レーザーに切り換えて読み出せたときには青色レーザー用ディスクであることが判別することが可能である。
【０１６３】
また、ＤＶＤ−ＲＷ、ＤＶＤ−Ｒ  ｆｏｒ  Ｇｅｎｅｒａｌ  Ｖｅｒ．２．０の新しいＤＶＤ記録ディスクの判別では、ＲＷメディアかそれ以外のディスクかのメディア種別判別処理は、ファームウエア制御部２１の制御により読み取りできる物理セクタ番号＝２Ｆ０００ｈ以前のＲＷ物理フォーマット情報エリアに記載される情報データ、または物理セクタ番号＝２Ｆ２００ｈ〜ＰＳＮ＝２ＦＥ００ｈまでのエンボスビットのコントロールデータゾーンを読み取ることによって、ＲＷメディアと判別することができる。
【０１６４】
［ディスク種別判別処理について］
次に、図１１に示した処理のステップＳ２において行われるディスク種別を判別する処理について詳細に説明する。図１２は、図１１のステップＳ２において行われるディスク種別判別処理を説明するためのフローチャートである。
【０１６５】
上述もしたように、ＤＶＤドライブ２は、情報処理部２からＲｅａｄＤＶＤＳｔｒｕｃｔｕｒｅ（コマンドコードＡＤｈ）パケットコマンドを受け付けて、論理セクタ番号＝０００００ｈより前のデータ（リードインエリアを含み、それよりも内周側に記録されているファームウエア用データ）を読み出し、この読み出したデータに基づいて、ＤＶＤドライブ２のファームウエア制御部２１は、図１２に示すディスク種別判別処理を開始する。
【０１６６】
まず、ファームウエア制御部２１は、装填されたＤＶＤから読み出されたデータ、すなわち、読出領域、管理データ領域、リードインエリア、あるいは、バーストカッティング領域から読み出されたデータに基づいて、装填されたＤＶＤについて、ＤＶＤ−ＲＯＭか否かを判断する処理（ステップＳ２１）と、赤色レーザー用のＤＶＤか否かを判断する処理（ステップＳ２２）と、ＤＶＤ−ＲＷか否かを判断する処理（ステップＳ２３）を行う。
【０１６７】
ステップＳ２１の判別処理において、装填されたＤＶＤがＤＶＤ−ＲＯＭであると判別した場合には、ステップＳ２１の判別結果の格納エリア（判別結果１）に判別結果が「真」であることを示すデータを格納する（ステップＳ２４）。また、ステップＳ２１の判別処理において、装填されたＤＶＤがＤＶＤ−ＲＯＭではないと判別した場合には、ステップＳ２１の判別結果の格納エリア（判別結果１）に判別結果が「偽」であることを示すデータを格納する（ステップＳ２５）。
【０１６８】
また、ステップＳ２２の判別処理において、装填されたＤＶＤが赤色レーザー用のＤＶＤであると判別した場合には、ステップＳ２２の判別結果の格納エリア（判別結果２）に判別結果が「真」であることを示すデータを格納する（ステップＳ２６）。また、ステップＳ２２の判別処理において、装填されたＤＶＤが赤色レーザー用のＤＶＤではないと判別した場合には、ステップＳ２２の判別結果の格納エリア（判別結果２）に判別結果が「偽」であることを示すデータを格納する（ステップＳ２７）。
【０１６９】
同様に、ステップＳ２３の判別処理において、装填されたＤＶＤがＤＶＤ−ＲＷであると判別した場合には、ステップＳ２３の判別結果の格納エリア（判別結果３）に判別結果が「偽」であることを示すデータを格納する（ステップＳ２８）。  また、ステップＳ２３の判別処理において、装填されたＤＶＤがＤＶＤ−ＲＷではないと判別した場合には、ステップＳ２３の判別結果の格納エリア（判別結果３）に判別結果が「偽」であることを示すデータを格納する（ステップＳ２９）。
【０１７０】
このようにして、判別結果１（ＤＶＤ−ＲＯＭか否かを示す情報）、判別結果２（赤色レーザー用のＤＶＤか否かを示す情報）、判別結果２（ＤＶＤ−ＲＷか否かを示す情報）を得て、これら３つの情報に基づいて、ディスクの種別を判別する（ステップＳ３０）。このステップＳ３０の処理は、具体的には、図１３に示すディスク種別判別テーブルに基づいて行うことになる。
【０１７１】
すなわち、図１３において、（１）の欄に示すように、判別結果１が「真」、判別結果２が「真」であれば、赤色レーザー用のＤＶＤ−ＲＯＭであると判別する。この場合には、図１１に示した処理のステップＳ４からの処理を行うことになる。また、（２）の欄に示すように、判別結果１が「偽」、判別結果２が「真」、判別結果３が「偽」であれば、ＤＶＤ−ＲＯＭでもＤＶＤ−ＲＷでもないので、赤色レーザー用のＤＶＤ−Ｒであると判別する。この場合には、図１１に示したステップＳ６からの処理を行うことになる。また、（３）の欄に示すように、判別結果１が「偽」、判別結果２が「真」、判別結果３が「真」であれば、赤色レーザー用のＤＶＤ−ＲＷであると判別する。この場合には、図１１に示したステップＳ８からの処理を行うことになる。
【０１７２】
同様に、図１３において、（４）の欄に示すように、判別結果１が「真」、判別結果２が「偽」であれば、青色レーザー用のＤＶＤ−ＲＯＭであると判別する。この場合には、図１１に示した処理のステップＳ１０からの処理を行うことになる。また、（５）の欄に示すように、判別結果１が「偽」、判別結果２が「偽」、判別結果３が「偽」であれば、ＤＶＤ−ＲＯＭでもＤＶＤ−ＲＷでもないので、青色レーザー用のＤＶＤ−Ｒであると判別する。この場合には、図１１に示したステップＳ１２からの処理を行うことになる。また、（６）の欄に示すように、判別結果１が「偽」、判別結果２が「偽」、判別結果３が「真」であれば、青色レーザー用のＤＶＤ−ＲＷであると判別する。この場合には、図１１に示したステップＳ１４からの処理を行うことになる。
【０１７３】
なお、図１３において、−の印は、判別不要であってＤｏｎ‘ｔ  Ｃａｒｅであることを示している。
【０１７４】
そして、図１１に示した処理のステップＳ２の処理（ＤＶＤドライブ２側におけるディスク種別判別処理タスク）とステップＳ３以降の処理（情報処理部１側における図形表示処理タスク）とは図１４に示すようにまとめることができる。
【０１７５】
図１１に示したステップＳ２においては、ＤＶＤドライブ２のファームウエア制御部２１においては、図１４Ａに示す一連の処理が行われる。まず、ＤＶＤドライブ２においては、装填されたＤＶＤがＤＶＤ−ＲＯＭか、ＤＶＤ−ＲまたはＤＶＤ−Ｒかを判別し（ステップＳ１０１）、装填されたＤＶＤが赤色レーザー用（Ｒｅｄ）か青色レーザー用（Ｂｌｕｅ）かを判別し（ステップＳ１０２）、また、装填されたＤＶＤに用いられているファイルシステムは、ＤＶＤビデオフォーマットか否かを判別し（ステップＳ１０３）、また、ファイルシステムの選択と空き領域の検出を行う（ステップＳ１０４）。
【０１７６】
これらの結果は、メッセージのビットパターンの一つとして伝える。この場合、各ビットパターンは、メディア種類判別処理タスクから図形表示タスクへのタスク間通信のビットパターンでメッセージ通信される。
【０１７７】
そして、情報処理部１のシステム制御部１８は、ＤＶＤドライブ２からの情報に基づいて、図１４Ｂに示すように、残量表示などの容量表示を行うようにし（ステップＳ２０１）、容量表示の表示色を制御し（ステップＳ２０２）、ファイナライズの有無を表示するようにし（ステップＳ２０３）、そして、記録可能時間や残り演奏時間などの時間情報表示を行う（ステップＳ２０４）。
【０１７８】
このように、この実施の形態のＤＶＤデジタルビデオカメラにおいては、情報処理部１とＤＶＤドライブ２とか協働して、用いるＤＶＤが、赤色レーザー用のＤＶＤか、青色レーザー用のＤＶＤか、また、その空き容量、ファイナライズの有無を明確にユーザに通知することができるようにしている。
【０１７９】
なお、この実施の形態のＤＶＤデジタルビデオカメラにおいては、ＤＶＤドライブ２において、情報処理部１からの要求に応じて、図１２に示した処理を行い判別結果１、判別結果２、判別結果３を得て、図１３に示したディスク種別判別テーブルに従って、ディスク種別を判別し、この判別結果を情報処理部１のシステム制御部１８が得て、処理の切り換えを行うものとして説明した。
【０１８０】
しかし、これに限るものではない。ＤＶＤドライブ２において、図１２に示した処理を行い判別結果１、判別結果２、判別結果３を得て、これを情報処理部１が得て、情報処理部１において、図１３に示したディスク種別判別テーブルに従ったディスク種別の判別を行うようにしてもよい。
【０１８１】
また、上述した実施の形態においては、ＤＶＤデジタルビデオカメラの場合を例にして説明したが、これに限るものではない。ＤＶＤやＣＤ等の種々の光ディスクを記録媒体として用いる種々の記録機器や記録再生機器に適用することができる。
【０１８２】
特に、光ディスクの形状が、１２センチタイプ、８センチタイプ、さらに小さいタイプなど、記憶容量の異なる複数の光ディスクを用いることが可能な、記録装置や記録再生装置にこの発明を適用した場合には、赤色レーザー用の光ディスクか青色レーザー用の光ディスクかの判別情報の他、空き容量をも明確に通知することができるので、空き容量の認識間違いを発生させることもない。
【０１８３】
また、上述の実施の形態においては、波長が６５０ｎｍの赤色レーザー光を用い、波長が４０５ｎｍの青色レーザー光を用いた場合を例にして説明したが、これに限るものではない。例えば、いわゆる赤色レーザー光に分類されるようなレーザー光であっても、波長が６５０ｎｍよりも長い波長のレーザー光を用いてもよいし、青色レーザー光に分類されるようなレーザー光であっても、波長が４０５ｎｍより短い波長のレーザー光を用いるようにしてもよい。
【０１８４】
このような場合であっても、レーザー光源の波長の属する波長域の表示色で、光ディスクごとに、データの書き込みや読み出しを行うレーザー光の違いを行うようにすればよい。具体的には、例えば、将来的に利用可能になる波長が４００ｎｍ以下の青紫色レーザー光を用いてデータの書き込み／読み出しが行われる光ディスクの場合には、波長が３８０ｎｍ〜５００ｎｍの帯域の色表示でディスク種別や空き容量を通知するようにすればよい。
【０１８５】
また、例えば、中波長域のレーザー光を用いる場合も同様であり、中波長域のレーザー光が用いられて、データの書き込み／読み出しが行われる光ディスクの場合には、波長が５００ｎｍ〜６００ｎｍの波長の色表示でディスク種別や空き容量を通知するようにすればよい。
【０１８６】
【発明の効果】
以上説明したように、この発明によれば、用いる光記録媒体が、どの波長のレーザー光用のものであるかを視認性よく、明確にユーザに通知することができる。また、用いる光記録媒体の空き容量、ファイナライズ処理の有無などの光記録媒体に関する情報を視認性よく、明確にユーザに通知することができる。
【図面の簡単な説明】
【図１】この発明による装置、方法の一実施の形態が適用されたＤＶＤデジタルビデオカメラを説明するためのブロック図である。
【図２】図１に示したＤＶＤデジタルビデオカメラのＤＶＤドライブを説明するためのブロック図である。
【図３】ＤＶＤ−ＲＯＭの物理フォーマットを説明するための図である。
【図４】ＤＶＤ−Ｒの物理フォーマットを説明するための図である
【図５】ＤＶＤ−ＲにＤＶＤビデオフォーマットでデータを記録する場合について説明するための図である。
【図６】ＤＶＤ−ＲＷのリードインエリア部分のフォーマットを説明するための図である。
【図７】バーストカッティング領域を有するＤＶＤについて説明するための図である。
【図８】ディスクの種別、空き容量、ファイナライズ有無を通知する表示の一例を説明するための図である。
【図９】ディスクの種別、空き容量、ファイナライズ有無を通知する表示の一例を説明するための図である。
【図１０】ディスクの種別、空き容量、ファイナライズ有無を通知する表示の一例を説明するための図である。
【図１１】図１に示したＤＶＤデジタルビデオカメラにおいて行なわれる媒体情報の通知処理を説明するためのフローチャートである。
【図１２】図１１に示した処理のステップＳ２において行われる処理を説明するためのフローチャートである。
【図１３】図１２に示した処理のステップＳ３０において用いられるディスク種別判別テーブルについて説明するための図である。
【図１４】ＤＶＤドライブ２側におけるディスク種別判別処理タスクと情報処理部１側における図形表示処理タスクについて説明するためのフローチャートである。
【符号の説明】
１…情報処理部、１０…システムコントロールバス、１１…カメラ部、１２…ＬＣＤ、１３…ビデオ／オーディオＩ／Ｆ部、１３Ｍ…スクリーンメモリー、１４…圧縮／伸張信号処理部、１４Ｍ…圧縮／伸張メモリー、１５…データ制御部、１５Ｍ…データメモリー、１６…ドライブ制御部、１７…外部機器Ｉ／Ｆ、１８…システム制御部、１９…プログラムメモリー、２０…ユーザＩ／Ｆ部、２…ＤＶＤドライブ、２１…ファームウエア制御部、２２…ホストＩ／Ｆ部、２３…パケットデバイス情報部、２４…メモリー制御部、２５…ドライブキャッシュメモリー、２６…書き込み／読出し部、２７…光ヘッド部、２８…ディスク検出部、３０…ＤＶＤ
【図１】
2004273038.tif 000003
【図２】
2004273038.tif 000004
【図３】
2004273038.tif 000005
【図４】
2004273038.tif 000006
【図５】
2004273038.tif 000007
【図６】
2004273038.tif 000008
【図７】
2004273038.tif 000009
【図８】
2004273038.tif 000010
【図９】
2004273038.tif 000011
【図１０】
2004273038.tif 000012
【図１１】
2004273038.tif 000013
【図１２】
2004273038.tif 000014
【図１３】
2004273038.tif 000015
【図１４】
2004273038.tif 000016